(57)【要約】【課題】従来の技術においては、スポンジ状体にしても気泡にしても床ずれが発症する患部となる個所およびその周囲はその患部付近の重量によって患部の当たる場所はへこんでしまい、結局は、患部となる個所に重量が集中して床ずれを発症させてしまうという問題があり、また、使い捨てはできない高価なものであるという問題がある。【解決手段】合成樹脂製のバックフィルムに所定の径の突起を有する合成樹製のキャップフィルムを気泡を形成するように接着した気泡シートの気泡の頭部側（表面側）に、天然繊維、合成繊維等による織布、不織布もしくは紙等の当てシートを接着してキャップフィルムを挟んだサンドイッチ構造とした積層シートによることを特徴とする。【選択図】        図１
2007307133.tif 000002
【特許請求の範囲】
【請求項１】
合成樹脂製のバックフィルムに所定の径の突起を有する合成樹製のキャップフィルムを複数の気泡を形成するように接着した気泡シートの気泡の頭部側（表面側）に、天然繊維、合成繊維等による織布、不織布もしくは紙等の当てシートを接着してキャップフィルムを挟んだサンドイッチ構造とした積層シートによることを特徴とする床ずれ防止・保護シート。
【発明の詳細な説明】
【技術分野】
【０００１】
本発明は、長期間にわったって寝ていることにより発症しやすくなる床ずれの発症を防止すると共の発症した床ずれを保護する防止・保護シートに関する。
【背景技術】
【０００２】
従来の床ずれ防止・保護具としては、例えば、床ずれの発症しやすいかかと、仙骨部もしくは肩甲骨部等に当てるクッションがある。これらは、一般にスポンジ状体による弾性材で構成されている。
また、空気を利用したもので、合成樹脂によって複数の気泡を形成し、この気泡によって身体や体の一部を保持して床ずれの発症を防ごうとするマットもある（例えば、特許文献１参照）。
【特許文献１】特開２００５−２１８７３１号公報
【発明の開示】
【発明が解決しようとする課題】
【０００３】
しかしながら、上述した従来の技術においては、スポンジ状体にしても気泡にしても床ずれが発症する患部となる個所およびその周囲はその患部付近の重量によって患部の当たる場所はへこんでしまい、結局は、患部となる個所に重量が集中して床ずれを発症させてしまうという問題がある。
また、発症した床ずれを保護するために患部に当てたり敷いたりする保護具としては、非常によごれるために、簡単には洗えず、洗濯して使い続けるものより使い捨てのもののほうがよく、院内感染対策にもすぐれるが、上記の従来のものは使い捨てはできない高価なものである。
【０００４】
本発明は、このような問題を解決することを課題とし、載せた体重を集中させることなく分散させることができる床ずれ予防・保護シートを得ることを目的とする。
【課題を解決するための手段】
【０００５】
そこで本発明は、合成樹脂製のバックフィルムに所定の径の突起を有する合成樹製のキャップフィルムを複数の気泡を形成するように接着した気泡シートの気泡の頭部側（表面側）に、天然繊維、合成繊維等による織布、不織布もしくは紙等の当てシートを接着してキャップフィルムを挟んだサンドイッチ構造とした積層シートによることを特徴とする。
【発明の効果】
【０００６】
このようにした本発明は、各気泡はそれぞれ独立して荷重に対して支持力を発揮し、クッション作用を保つために、それぞれの気泡がそれにかかった体重（荷重）を支えて体圧分布をはかることができ、一点にだけ荷重が集中することがないという効果が得られる。
また、当てシートを表側にするために、皮膚が直接触れても合成樹脂シート面のような密着感がなく、しかも、当てシートが汗や体液を吸うために患部に汗や体液がひろがって付着することがなく、床ずれを発症しやすくさせたり発症している床ずれを悪化させたりすることがない。
【０００７】
さらに、ロール状に巻いた積層シートを必要量だけ巻き戻し、切断して使用し、汚れたり使い終わったりしたら洗濯等して継続使用することなくそのまま廃棄することができ、細菌による感染を防ぐと共に病院等においては院内感染を防ぐことができる。
【発明を実施するための最良の形態】
【０００８】
以下、図面を参照して本発明による実施例を説明する。
【実施例】
【０００９】
図１は小片の説明図、図２は拡大断面図、図３および図４は使用状態を示す説明図、図５はロール状態の説明図である。
合成樹脂製のバックフィルム１に所定の径の突起を有する合成樹製のキャップフィルム２を複数の気泡３を形成するように接着（溶着）した気泡シート４を従来の製法によって製造する。
【００１０】
このような気泡シート４の気泡３の頭部側（表面側）つまりバックフィルム１の反対側に、天然繊維、合成繊維等による織布、不織布もしくは紙等の当てシート５を接着してキャップフィルム２を挟んだサンドイッチ構造の積層シート６とする。この当てシート５は、ガーゼ状体、フェルト状体等任意であり、吸湿性があるものがよい。
このようにした積層シート６を所望の大きさに鋏で切断して当てシート５を表側にして床ずれを発症しやすい個所に当てたり敷いたりすることによりしてその個所の体圧分布をはかり、一個所に圧力が集中しないようになる。
【００１１】
これは、キャップフィルム２の各気泡３の頭部が当てシート５によって連結されてそれぞれの気泡の先端が自由端となっていないために、荷重がかかった場合に各気泡３の先端がふらふらして移動することなく安定した状態を保つことができるからである。
これによって、各気泡３はそれぞれ独立して荷重に対して支持力を発揮し、クッション作用を保つために、それぞれの気泡がそれにかかった体重（荷重）を支えて体圧分布をはかることができ、一点にだけ荷重が集中することがない。
【００１２】
上述した構成の作用について説明する。
以上説明したように、本実施例によると、所望の大きさに切断した積層シート６を当てシート５を表側にして床ずれを発症しやすい個所を含む周囲に当てたりその付近に敷いたりすることにより、その個所の体圧分布をはかることができ、特定個所に体重がかからなくなり圧力が集中しないために床ずれの発症を予防することができる。
【００１３】
また、床ずれになった個所に当てシート５を表側にして当てたり敷いたりすることにより、患部だけに圧力がかからないようになり、患部の負担が少なくなる。さらには気泡による保温性に優れるという効果がある。
一般に、人が脚を伸ばして仰向けに寝ると、頭部に２０％、肩甲骨部に３０％、仙骨部に４０％、かかとに２０％の体重がかかるといわれている。そこで、図４に示す如く、１枚もしくは分割した積層シートを全身の下に敷くと、体重全体がそれぞれの接触個所で支持されて圧力は分散され、上記各部に圧力が集中することなく発症しやすかった床ずれの発症を抑え、発症している床ずれを保護することができる。
【００１４】
なお、上記の如く、積層シート６を敷いたり当てたりする場合には、ベッドのマットレスの上や布団の上に敷けばよい。また、両膝の内側同士のように体が当たるような場合にはその間に挟むように当てればよい。
また、当てシート５を表側にするために、皮膚が直接触れても合成樹脂シート面のような付着したような密着感はなく、しかも、当てシート５が汗や体液を吸うために患部に汗や体液がひろがって付着することがなく、床ずれを発症しやすくさせたり発症している床ずれを悪化させたりすることがない。
【００１５】
また、寝ているときばかりでなく、車椅子に座った場合にも床ずれは発症するものであり、その場合にも車椅子と当たる個所に積層シートを当てていくことにより、発症を防ぐと共に発症している床ずれを保護することができる。
さらに、単価が安く、使い捨てが可能であり、予め各種の大きさに切断しておいて所望の大きさのものを選択して使用するようにすればよく、また、図５に示す如く、ロール状に巻いた積層シートを必要量だけ巻き戻し、所望の大きさに切断して使用してもよいもので、汚れたり使い終わったりしたら洗濯等して継続使用することなくそのまま廃棄することができ、細菌による感染を防ぐと共に病院等においては院内感染を防ぐことができる。
【図面の簡単な説明】
【００１６】
【図１】実施例を示す小片の説明図
【図２】拡大断面図
【図３】使用状態の説明図
【図４】使用状態の説明図
【図５】ロール状態の説明図
【符号の説明】
【００１７】
１  バックフィルム
２  キャップフィルム
３  気泡
４  気泡シート
５  当てシート
６  積層シート
【図１】
2007307133.tif 000003
【図２】
2007307133.tif 000004
【図３】
2007307133.tif 000005
【図４】
2007307133.tif 000006
【図５】
2007307133.tif 000007